(57)【要約】【課題】設備の規模を軽減させることができ、コストダウンを図ることができるケーソン躯体の構築方法を提供することを目的としている。【解決手段】水中に立設された複数のガイド杭４…に沿って上下動可能に設けられた台船５上で、水中に設置するためのケーソン躯体１を構築するケーソン躯体１の構築方法であって、台船５上でケーソン躯体１を下部から上部へ順次構築していくとともに、台船５上に既に構築されたケーソン躯体１内へのバラスト調整により台船５上のケーソン躯体１を台船５ごと沈降させ、台船５上のケーソン躯体１の吃水を深くしていく。【選択図】図２
2008082095.tif 000002
【特許請求の範囲】
【請求項１】
水中に立設された複数のガイド杭に沿って上下動可能に設けられた台船上で、水中に設置するためのケーソン躯体を構築するケーソン躯体の構築方法であって、
前記台船上で前記ケーソン躯体を下部から上部へ順次構築していくとともに、前記台船上に既に構築されたケーソン躯体内へのバラスト調整により前記台船上の前記ケーソン躯体を前記台船ごと沈降させ、該台船上の前記ケーソン躯体の吃水を深くしていくことを特徴とするケーソン躯体の構築方法。
【請求項２】
請求項１記載のケーソン躯体の構築方法において、
前記台船上に構築された前記ケーソン躯体の浮力が該ケーソン躯体の自重よりも小さいうちは、前記台船内へのバラスト調整によって前記台船及び前記ケーソン躯体を沈降させ、
前記台船上に構築された前記ケーソン躯体の浮力が該ケーソン躯体の自重以上になった後は、前記ケーソン躯体内へのバラスト調整によって前記台船及び前記ケーソン躯体を沈降させることを特徴とするケーソン躯体の構築方法。
【請求項３】
請求項１または２記載のケーソン躯体の構築方法において、
前記ケーソン躯体の構築が完了した後、前記台船内へのバラスト調整により該台船を沈降させて、或いは、前記ケーソン躯体内のバラスト調整により該ケーソン躯体を浮上させて、前記ケーソン躯体を前記台船から離間させて水中に浮かせることを特徴とするケーソン躯体の構築方法。
【発明の詳細な説明】
【技術分野】
【０００１】
本発明は、ケーソン躯体の構築方法に関する。
【背景技術】
【０００２】
従来、ケーソン躯体の構築方法として、陸上でケーソン躯体を構築した後に、構築されたケーソン躯体を運搬して進水させる方法がある。この方法は、陸上に、ケーソン躯体のベースを構築するヤードと、ケーソン躯体の壁を構築するヤードと、ケーソン躯体に防水材を塗布するヤードと、ケーソン躯体を進水させるヤードとを順次設けて、運搬手段により各ヤードに順次進んでケーソン躯体を構築する方法である（例えば、特許文献１参照。）。
【０００３】
また、従来、他のケーソン躯体の構築方法として、水上に浮いたバージ上でケーソン躯体を構築する方法が提供されている。この方法は、水中に非水密壁ドッグが構築され、このドッグ内に沈降・浮上可能なバージが配設される。そして、水上に浮いたバージ上にケーソン躯体が構築した後、このバージを水中に沈降させることで、ケーソン躯体を進水させるとともに、バージ上からケーソン躯体を離間させてケーソン躯体を水中に浮かせる。その後、水中に浮いたケーソン躯体を所定の設置位置まで曳航させる（例えば、特許文献２参照。）。
【０００４】
また、近年、マリンリフト方式のケーソン躯体の構築方法が提案されている。このマリンリフト方式のケーソン躯体の構築方法は、まず、水中に浮かないプラットフォーム（架台）をその周囲に取り付けられた鋼棒やワイヤで吊し、このプラットフォーム上でケーソン躯体を構築する。ケーソン躯体を下部から上部へ順次構築していくとともに、鋼棒やワイヤを支持しているジャッキ機構（センターホールジャッキ等）をジャッキダウンさせてプラットフォームを水中に沈下させていく。これにより、所定の水上高さでケーソン躯体の構築を行うことができる。
【特許文献１】特開２０００−２８２４８０号公報
【特許文献２】特開平７−１４９２８６号公報
【発明の開示】
【発明が解決しようとする課題】
【０００５】
しかしながら、上記した陸上でケーソン躯体を構築する従来のケーソン躯体の構築方法では、ケーソン躯体の製作過程でケーソン躯体（函体）を陸上で移動させるための移動設備が必要であり、設備が大掛かりになり、コストが高くなるという問題が存在する。
【０００６】
また、上記した水上に浮いたバージ上でケーソン躯体を構築する従来のケーソン躯体の構築方法では、ケーソン躯体を構築する時に使用されるクレーンとして、ケーソン躯体の断面の大きさに応じた大きさのクレーンが必要である。したがって、大断面のケーソン躯体を構築する場合には、相応の大型のクレーンが必要になり、コストが高くなるという問題が存在する。
【０００７】
また、上記したマリンリフト方式のケーソン躯体の構築方法では、プラットフォームを昇降させるためのジャッキやジャッキの反力を受ける設備などが必要であり、設備コストが高くなるという問題が存在する。
【０００８】
本発明は、上記した従来の問題が考慮されたものであり、設備の規模を軽減させることができ、コストダウンを図ることができるケーソン躯体の構築方法を提供することを目的としている。
【課題を解決するための手段】
【０００９】
本発明に係るケーソン躯体の構築方法は、水中に立設された複数のガイド杭に沿って上下動可能に設けられた台船上で、水中に設置するためのケーソン躯体を構築するケーソン躯体の構築方法であって、前記台船上で前記ケーソン躯体を下部から上部へ順次構築していくとともに、前記台船上に既に構築されたケーソン躯体内へのバラスト調整により前記台船上の前記ケーソン躯体を前記台船ごと沈降させ、該台船上の前記ケーソン躯体の吃水を深くしていくことを特徴としている。
【００１０】
このような特徴により、ケーソン躯体を下から順に構築するに伴い、既に構築された台船上のケーソン躯体が台船とともに沈降していき、所定の水上高さ位置でケーソン躯体の構築作業が行われる。このとき、台船及びケーソン躯体は、ジャッキ等の機械を用いることなく、台船上のケーソン躯体内へのバラスト調整によって沈降する。
【００１１】
また、本発明に係るケーソン躯体の構築方法は、前記台船上に構築された前記ケーソン躯体の浮力が該ケーソン躯体の自重よりも小さいうちは、前記台船内へのバラスト調整によって前記台船及び前記ケーソン躯体を沈降させ、前記台船上に構築された前記ケーソン躯体の浮力が該ケーソン躯体の自重以上になった後は、前記ケーソン躯体内へのバラスト調整によって前記台船及び前記ケーソン躯体を沈降させることを特徴とする構成としてもよい。
【００１２】
これにより、台船上に構築されたケーソン躯体が自重で沈むうちは、ケーソン躯体内へのバラスト調整を行わなくても、台船内へのバラスト調整を行うことで、ケーソン躯体及び台船が沈降する。一方、台船上でのケーソン躯体の構築が進むと、いずれはケーソン躯体の浮力が自重を上回り、台船上のケーソン躯体が浮力により浮くことになる。このときは、ケーソン躯体内へのバラスト調整を行うことで、ケーソン躯体及び台船が沈降する。
【００１３】
さらに、本発明に係るケーソン躯体の構築方法は、前記ケーソン躯体の構築が完了した後、前記台船内へのバラスト調整により該台船を沈降させて、或いは、前記ケーソン躯体内のバラスト調整により該ケーソン躯体を浮上させて、前記ケーソン躯体を前記台船から離間させて水中に浮かせることを特徴とする構成としてもよい。
【００１４】
これにより、台船とその上のケーソン躯体とはジャッキ等の機械を用いることなくバラスト調整によって離間し、ケーソン躯体が曳航可能な状態となる。
【発明の効果】
【００１５】
本発明に係るケーソン躯体の構築方法によれば、ケーソン躯体を陸上で移動させるための移動設備や、ケーソン躯体を載せる台を昇降させるためのジャッキ、ジャッキの反力を受ける設備などが不要であり、また、大断面のケーソン躯体を構築する場合でもクレーン等の揚重装置を大型にしなくてもよいため、設備の規模を軽減させることができ、コストを低減させることができる。
【発明を実施するための最良の形態】
【００１６】
以下、本発明に係るケーソン躯体の構築方法の実施の形態について、図面に基いて説明する。
【００１７】
まず、ケーソン躯体１を構築するための設備について説明する。
図１はケーソン躯体１を構築するためのケーソン構築設備２の平面図であり、図２はケーソン躯体１を構築するためのケーソン構築設備２の断面図である。なお、図に示す「ＨＷＬ」は満潮時の水面を示しており、「ＬＷＬ」は干潮時の水面を示している。
【００１８】
図１、図２に示すように、ケーソン構築設備２は、間隔をあけて設けられたケーソン構築のための作業用桟橋若しくは突堤（以下、桟台３、３と記す。）間に設けられた設備であって、水中に略鉛直に立設された複数（図１では６本）のガイド杭４…と、ガイド杭４…に沿って上下動可能に設けられた台船５と、を備える構成からなる。
【００１９】
ガイド杭４…は、鋼管杭等の既製杭からなり、その下端部は水底に打ち込まれて水底地盤Ｇ内に埋設されており、その上端部は水面から上方に突出されている。複数のガイド杭４…は、互いに間隔をあけて配設されており、具体的には、両側の桟台３、３の平行する縁に沿って２列に並設されている。
【００２０】
台船５は、鋼板等からなる中空箱状の架台であり、単体では水に浮く性質を有する架台である。台船５は、複数のガイド杭４…間に配設されており、ガイド杭４…により水平方向の移動が規制されているが、ガイド杭４…に沿って上下方向に移動可能な構成となっている。具体的には、台船５の外周部（図１では、四隅及び桟台３、３に対向する縁部の真中）には、各ガイド杭４…がそれぞれ挿通される切欠部５ａ…が形成されている。これらの切欠部５ａ…には、ガイド杭４…に接触させるためのクッション材６…が設けられている。このクッション材６…は、例えば防舷材等からなり、ガイド杭４…の外周面に当接されている。台船５は、上記したクッション材６…を介してガイド杭４…の外周面に摺動自在に設けられている。
【００２１】
また、上記した構成からなるケーソン構築設備２で構築するケーソン躯体１は、公知のケーソンと同様のものであり、例えば、格子状（蜂の巣状）に壁部が設けられた有底中空の大型ケーソンである。なお、このケーソン躯体１は、コンクリート構造のものでも、鋼構造のものでも、その他の構造（例えば、コンクリートと鋼板とからなる複合構造）のものであってもよい。
【００２２】
次に、上記した構成からなるケーソン構築設備２を用いてケーソン躯体１を構築する方法について説明する。
【００２３】
図３〜図１０はケーソン躯体１の構築過程を示した断面図である。
図３〜図１０に示すように、本発明に係るケーソン躯体１の構築方法は、ケーソン躯体１を複数の節（第１〜第４節部１Ａ〜１Ｄ）に分けて構築していく方法であって、台船５上でケーソン躯体１を下部から上部へ順次構築していくとともに、台船５上に既に構築されたケーソン躯体１内へのバラスト調整により台船５上のケーソン躯体１を台船５ごと沈降させ、台船５上のケーソン躯体の吃水（水面よりも下の部分の高さ）を深くしていくものである。
【００２４】
具体的には、まず、図３に示すように、水上に浮いた台船５の上にケーソン躯体１の最下節（第１節部１Ａ）を構築する。このとき、台船５の上面は水面から出ており、ケーソン躯体１の第１節部１Ａは気中で構築される。また、台船５上にはＨ型鋼などからなる複数の枕木７…を並べて、この枕木７…の上にケーソン躯体１の第１節部１Ａを構築する。
【００２５】
次に、図４に示すように、台船５上に構築されたケーソン躯体１の中にバラスト水Ｗを注入しながら、台船５及び台船５上のケーソン躯体１（第１節部１Ａ）を水中にリフトダウンさせる。つまり、台船５の自重とケーソン躯体１の第１節部１Ａの自重とケーソン躯体１内のバラスト水Ｗの重量との和が、台船５の浮力とその上のケーソン躯体１（第１節部１Ａ）の浮力との和よりも大きくなることで、台船５がガイド杭４…に沿って下降して台船５及び台船５上のケーソン躯体１は沈降（リフトダウン）する。そして、上記した浮力の和が上記した自重等の和と釣り合う深さのところで、台船５及び台船５上のケーソン躯体１の沈降が止まる。また、このとき、沈降した後の第１節部１Ａの上端が所定の水面上高さ（例えば、桟台３、３の上面と同等の高さレベル）になるように、第１節部１Ａの高さ寸法を設定したり、バラスト水Ｗの注入量を調整したりする。
【００２６】
次に、図５に示すように、水面から上方に突出したケーソン躯体１の第１節部１Ａの上端にケーソン躯体１の次の節（第２節部１Ｂ）を構築する。第１節部１Ａと第２節部１Ｂとの継手は公知の技術で行うことができる。
【００２７】
次に、図６に示すように、台船５上に構築されたケーソン躯体１の中に更にバラスト水Ｗを注入しながら、台船５及び台船５上のケーソン躯体１（第１、第２節部１Ａ，１Ｂ）を水中にリフトダウンさせる。つまり、図４に示す場合と同様に、台船５の自重とケーソン躯体１の第１、第２節部１Ａ，１Ｂの自重とケーソン躯体１内のバラスト水Ｗの重量との和が、台船５の浮力とその上のケーソン躯体１（第１、第２節部１Ａ，１Ｂ）の浮力との和よりも大きくなることで、台船５がガイド杭４…に沿って下降して台船５及び台船５上のケーソン躯体１は沈降し、上記した浮力の和が上記した自重等の和と釣り合う深さのところで止まる。また、このとき、図４に示す場合と同様に、沈降した後の第２節部１Ｂの上端が所定の水面上高さになるように、第２節部１Ｂの高さ寸法を設定したり、バラスト水Ｗの注入量を調整したりする。
【００２８】
次に、図７に示すように、水面から上方に突出したケーソン躯体１の第２節部１Ｂの上端にケーソン躯体１の次の節（第３節部１Ｃ）を構築する。第２節部１Ｂと第３節部１Ｃとの継手は、第１節部１Ａと第２節部１Ｂとの継手の場合と同様に、公知の技術で行うことができる。
【００２９】
次に、図８に示すように、台船５及び台船５上のケーソン躯体１（第１、第２、第３節部１Ａ，１Ｂ，１Ｃ）を水中にリフトダウンさせる。つまり、台船５の自重とケーソン躯体１の第１、第２、第３節部１Ａ，１Ｂ，１Ｃの自重とケーソン躯体１内のバラスト水Ｗの重量との和が、台船５の浮力とその上のケーソン躯体１（第１、第２、第３節部１Ａ，１Ｂ，１Ｃ）の浮力との和よりも大きくなることで、台船５がガイド杭４…に沿って下降して台船５及び台船５上のケーソン躯体１は沈降し、上記した浮力の和が上記した自重等の和と釣り合う深さのところで止まる。また、このとき、沈降した後の第３節部１Ｃの上端が所定の水面上高さになるように、第３節部１Ｃの高さ寸法を設定する。なお、図４、図６に示す場合と同様に、所定量のバラスト水Ｗを注入して第３節部１Ｃの上端位置を調整してもよい。
【００３０】
次に、図９に示すように、水面から上方に突出したケーソン躯体１の第３節部１Ｃの上端にケーソン躯体１の最上節（第４節部１Ｄ）を構築する。第３節部１Ｃと第４節部１Ｄとの継手は、第１節部１Ａと第２節部１Ｂとの継手の場合及び第２節部１Ｂと第３節部１Ｃとの継手の場合と同様に、公知の技術で行うことができる。以上により、ケーソン躯体１の構築が完了する。
【００３１】
次に、ケーソン躯体１内のバラスト調整によりケーソン躯体１を浮上させて、ケーソン躯体１を台船５から離間させて水中に浮かせる。具体的には、ケーソン躯体１内のバラスト水Ｗの一部或いは全部をポンプ等で抜いてケーソン躯体１を浮上させる。つまり、ケーソン躯体１の自重とケーソン躯体１内のバラスト水Ｗの重量との和が、ケーソン躯体１の浮力よりも小さくなることで、ケーソン躯体１は浮上し、ケーソン躯体１の浮力が上記した自重等の和と釣り合う深さのところで止まる。なお、このとき、台船５がケーソン躯体１と一緒に浮上しないように、台船５の中にバラスト水Ｗを注入したり、台船５をガイド杭４…に掛止させたりして、台船５が浮上しないようにする。
最後に、水中に浮遊した状態のケーソン躯体１を曳航させる。
【００３２】
上記した構成からなるケーソン躯体１の構築方法によれば、ケーソン躯体１を下節から順に構築するに伴い、既に構築された台船５上のケーソン躯体１が台船５とともに沈降していき、所定の水上高さ位置でケーソン躯体１の構築作業が行われる。これにより、ケーソン躯体１を陸上で移動させるための移動設備が不要であり、また、大断面のケーソン躯体１を構築する場合でもクレーン等の揚重装置を大型にしなくてもよい。したがって、設備の規模を軽減させることができ、コストを低減させることができる。
【００３３】
また、台船５及びケーソン躯体１は、ジャッキ等の機械を用いることなく、ケーソン躯体１内へのバラスト調整によって沈降するため、ケーソン躯体を載せる台を昇降させるためのジャッキやジャッキの反力を受ける設備などが不要である。よって、設備の規模を軽減させることができ、コストを低減させることができる。
【００３４】
また、上記した構成からなるケーソン躯体１の構築方法によれば、ケーソン躯体１の構築が完了した後、ケーソン躯体１内のバラスト調整によりケーソン躯体１を浮上させて、ケーソン躯体１を台船５から離間させて水中に浮かせるため、台船５とその上のケーソン躯体１とはジャッキ等の機械を用いることなくバラスト調整によって離間し、ケーソン躯体１が曳航可能な状態となる。これにより、設備を軽減させることができ、コストを低減させることができる。
【００３５】
以上、本発明に係るケーソン躯体の構築方法の実施の形態について説明したが、本発明は上記した実施の形態に限定されるものではなく、その趣旨を逸脱しない範囲で適宜変更可能である。例えば、上記した実施の形態では、ケーソン躯体１内へのバラスト調整によって台船５及びその上のケーソン躯体１を水中に沈降させているが、本発明は、台船内へのバラスト調整によって台船及びその上のケーソン躯体を水中に沈降させてもよい。
【００３６】
具体的には、台船上に構築されたケーソン躯体の浮力がそのケーソン躯体の自重よりも小さいうちは、台船内へのバラスト調整によって台船及びケーソン躯体を沈降させることができる。つまり、台船がバラスト調整によって水中に沈降すると、ケーソン躯体は自重によって沈むため、台船及びケーソン躯体は一緒に沈降する。そして、ケーソン躯体の構築が進み、台船上に構築されたケーソン躯体の浮力がケーソン躯体の自重以上になった後は、ケーソン躯体内へのバラスト調整によって台船及びケーソン躯体を沈降させる。つまり、台船上に構築されたケーソン躯体の浮力がそのケーソン躯体の自重と釣り合っているときは、台船が沈降してもケーソン躯体は沈まずに浮遊するため、ケーソン躯体内へのバラスト調整を行う必要がある。また、台船上に構築されたケーソン躯体の浮力がそのケーソン躯体の自重よりも大きいときは、ケーソン躯体は浮上してしまうため、ケーソン躯体内へのバラスト調整を行う必要がある。このように、台船上に構築されたケーソン躯体が自重で沈むうちは、ケーソン躯体内へのバラスト調整を行わなくても、台船内へのバラスト調整を行うことで、ケーソン躯体及び台船が沈降する。一方、台船上でのケーソン躯体の構築が進むと、いずれはケーソン躯体の浮力が自重を上回り、台船上のケーソン躯体が浮力により浮くことになる。このときは、ケーソン躯体内へのバラスト調整を行うことで、ケーソン躯体及び台船が沈降する。したがって、上記した実施の形態と同様に、ケーソン躯体を載せる台を昇降させるためのジャッキなどが不要であり、設備の規模を軽減させることができ、コストを低減させることができる。
【００３７】
また、本発明は、ケーソン躯体へのバラスト調整を行うとともに台船へのバラスト調整を行ってもよい。例えば、台船及びその上のケーソン躯体をリフトダウンさせる際、ケーソン躯体内にバラスト水を注入するとともに、台船内にもバラスト水を注入する。これによって、ケーソン躯体内へ注入するバラスト水の量を低減させることができる。
【００３８】
また、本発明は、図１１に示すように、高さ（水深）が異なる複数のケーソン構築設備（ケーソン構築ヤード）１０２Ａ，１０２Ｂ，１０２Ｃを用意し、これらのケーソン構築設備１０２Ａ、１０２Ｂ、１０２Ｃを低い（浅い）ものから順番に並べて設置し、これらのケーソン構築設備１０２Ａ，１０２Ｂ，１０２Ｃを用いてケーソン躯体１を構築してもよい。具体的には、最も低い第１のケーソン構築設備１０２Ａでケーソン躯体１を途中まで構築する。その後、途中まで構築されたケーソン躯体１を２番目に低い第２のケーソン構築設備１０２Ｂに移す。そして、この第２のケーソン構築設備１０２Ｂでケーソン躯体１をさらに構築していった後、最も高い第３のケーソン構築設備１０２Ｃに移す。この第３のケーソン構築設備１０２Ｃでケーソン躯体１を最後まで構築して完成させる。なお、各ケーソン構築設備１０２Ａ，１０２Ｂ，１０２Ｃにおけるケーソン躯体１の構築手順は、上記した実施の形態と同様であり、ケーソン躯体１を構築するとともに、台船５及びその上のケーソン躯体１を沈降させている。このような構成にすることで、複数のケーソン躯体１を同時に施工することができる。つまり、第１のケーソン構築設備１０２Ａから第２のケーソン構築設備１０２Ｂにケーソン躯体１を移した後、第１のケーソン構築設備１０２Ａでは別のケーソン躯体１を新たに構築する。そして、第２のケーソン構築設備１０２Ｂから第３のケーソン構築設備１０２Ｃにケーソン躯体１を移した後、第１のケーソン構築設備１０２Ａで構築された別のケーソン躯体１を移し、その後、第１のケーソン構築設備１０２Ａでは更に別のケーソン躯体１を新たに構築する。なお、同じ高さのケーソン構築設備を並べて複数のケーソン躯体を同時に構築することもできるが、高さが異なる複数のケーソン構築設備１０２Ａ，１０２Ｂ，１０２Ｃを用いる方が、ケーソン構築設備のコストを低減させることができ、経済的である。
【００３９】
また、上記した実施の形態では、ケーソン躯体１内のバラスト調整によりケーソン躯体１を浮上させることで、ケーソン躯体１を台船５から離間させているが、本発明は、台船内へのバラスト調整により台船を沈降させることで、ケーソン躯体を台船から離間させてもよい。具体的には、台船内にバラスト水を注入し、台船を沈降させることで、ケーソン躯体と台船とを離間させることができる。
【００４０】
また、上記した実施の形態では、ケーソン躯体１内にバラスト水Ｗを注入することでケーソン躯体１内へのバラスト調整を行っているが、本発明は、砂や砂利などをケーソン躯体内や台船内に投入することで、ケーソン躯体や台船のバラスト調整を行うことができ、さらに、ケーソン躯体内や台船内に錘を配置することで、ケーソン躯体や台船のバラスト調整を行うこともできる。いずれにしても、ケーソン躯体構築途中のケーソン躯体内へのバラスト調整あるいは台船内へのバラスト調整では、波浪等があってもケーソン躯体がその影響を受けずに台船上に静置される範囲内で、ケーソン躯体の自重がケーソン躯体の浮力よりも勝るようにし、且つ台船においては台船の浮力よりも台船の自重の方が勝るようにして、ケーソン躯体が沈もうとする力と台船が浮き上がろうとする力をバランスさせることが肝要である。
【００４１】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４２】
【図１】本発明の実施の形態を説明するためのケーソン躯体を構築するための設備の平面図である。
【図２】本発明の実施の形態を説明するためのケーソン躯体を構築するための設備の断面図である。
【図３】本発明の実施の形態を説明するためのケーソン躯体の構築過程を表した断面図である。
【図４】本発明の実施の形態を説明するためのケーソン躯体の構築過程を表した断面図である。
【図５】本発明の実施の形態を説明するためのケーソン躯体の構築過程を表した断面図である。
【図６】本発明の実施の形態を説明するためのケーソン躯体の構築過程を表した断面図である。
【図７】本発明の実施の形態を説明するためのケーソン躯体の構築過程を表した断面図である。
【図８】本発明の実施の形態を説明するためのケーソン躯体の構築過程を表した断面図である。
【図９】本発明の実施の形態を説明するためのケーソン躯体の構築過程を表した断面図である。
【図１０】本発明の実施の形態を説明するためのケーソン躯体の構築過程を表した断面図である。
【図１１】本発明の他の実施の形態を説明するためのケーソン躯体の構築状況を表した立面図である。
【符号の説明】
【００４３】
１  ケーソン躯体
４  ガイド杭
５  台船
【図１】
2008082095.tif 000003
【図２】
2008082095.tif 000004
【図３】
2008082095.tif 000005
【図４】
2008082095.tif 000006
【図５】
2008082095.tif 000007
【図６】
2008082095.tif 000008
【図７】
2008082095.tif 000009
【図８】
2008082095.tif 000010
【図９】
2008082095.tif 000011
【図１０】
2008082095.tif 000012
【図１１】
2008082095.tif 000013